(57)【特許請求の範囲】
【請求項１】
少なくとも１つの細長い刃と、上記刃と平行に刃の長さ方向に沿って延び、シェービング中に皮膚に接触する表面を形成する皮膚係合部材とを有し、前記表面は、ベースから上方に延びる間隔を置いた突出部により形成され、前記突出部は、弾性可撓性材料から形成され、その上端は、シェービング中に出合う力によって撓むことができ、一側が凹形の断面を有する全ての突出部は、凹面によって形成される溝が、前記溝の幅の少なくとも大部分にわたってシェービング中に前記皮膚係合部材の移動方向にほぼ面する方向に開放する向きであり、前記突出部の凹面が各溝内に毛を導入するように作用し、かつ、前記突出部の凹面が皮膚から水分をすくい取るように作用する、安全カミソリ刃ユニット。
【請求項２】
前記溝の幅の少なくとも大部分は、前記皮膚係合部材の移動方向に面する方向に開放している請求項１に記載の安全カミソリ刃ユニット。
【請求項３】
前記突出部は、前記溝の一方の側の縁部から前記溝の他方の側の縁部まで突出部の周りにほぼ一定の厚さを有する請求項１に記載の安全カミソリ刃ユニット。
【請求項４】
前記突出部の前記溝の対向する縁部は、前記細長い刃にほぼ平行な平面内にある請求項１に記載の安全カミソリ刃ユニット。
【請求項５】
前記突出部は、長方形ベース上に配置されている請求項１に記載の安全カミソリ刃ユニット。
【請求項６】
前記突出部は、前記細長い刃に平行な方向に前記ベースに沿って延びている少なくとも一列に配置されている請求項１に記載の安全カミソリ刃ユニット。
【請求項７】
少なくとも３列の突出部が設けられ、１列の突出部は、隣接する列の突出部に関して長手方向に偏位している請求項６に記載の安全カミソリ刃ユニット。
【請求項８】
突出部の断面は、直線部から延長された弧状部を有する請求項１に記載の安全カミソリ刃ユニット。
【請求項９】
前記突出部は、断面が弧状である請求項１に記載の安全カミソリ刃ユニット。
【発明の詳細な説明】
本発明は、シェービング装置に関し、刃ユニットを取り付けるハンドルによって、シェービングされる皮膚の表面を横断するように移動する切断縁を備えた少なくとも１つの刃を備えた安全カミソリ刃ユニットに関する。
刃ユニットは、刃の鋭さが不満足な水準まで低減したときに刃ユニットを新しい刃ユニットと交換することができるようにハンドルに着脱可能に取り付けられているか、または刃がにぶったとき、カミソリ全体を廃棄する意図で永久的に固定されている。カミソリ刃ユニットは、刃の前方の皮膚に接触する表面を形成するガードと、刃の後方の皮膚に接触するキャップとを有し、このキャップおよびガードは、いわゆる“シェービング形状”、すなわち、シェービング中に皮膚に関する刃の向きと位置を決めるパラメータを確立する際に重要な役割を果たす。本発明は、カミソリ刃ユニットのガードおよび／またはキャップと特に関連する。
シェービング中、例えば、米国特許第５１９１７１２号明細書に説明されているように、心地よい感触をつくる表面形状を備えた皮膚係合ガードまたはキャップを提供することが知られている。
本発明は、キャップまたはガードに関する表面構造を提供することを目的とする。この目的によれば、本発明は、少なくとも１つの細長い刃と、シェービング中に皮膚に接触する表面を形成する皮膚係合部材とを有し、前記表面には、ベースから上方に延びる弾性可撓性材料から形成され間隔を置いた突出部が設けられ、前記突出部の上端は、シェービング中に出合う力によってたわむことができ、凹形状の断面を有する少なくともいくつかの突出部は、凹形状の側面によって形成された溝が、溝の幅の少なくとも大部分にわたってシェービング中に刃が皮膚を横断する方向に向かって開放する方に向いている安全カミソリ刃ユニットにある。
有利には、突出面の凹形状面は、刃ユニットが皮膚面を横断する方向であるが、それらは、４５°までの角度でこの方向に傾斜することができる。
突出部分の種々の断面形状が可能であるが、完全な円の１／４ないし３／４の円周方向の範囲を備えた特に円形の弧、好ましくは半円形の弧の凹凸形状が適切である。他の断面形状は、文字Ｕの形状のような直線部分によって延長される弧状の中間部分を有する。
有利には、突出部は、刃にほぼ平行なベースに沿って延びる１つまたはそれ以上の列、例えば、３または４列に配置されており、各列に少なくとも１０の突出部から、長さにおいて約３０ｍｍのベースの場合、通常の長さの刃ユニットにおいて各列に約４０までの突出部が配置されている。適当なのは、ベース上への突出部の高さは、０．３８ｍｍないし１．５ｍｍの範囲、好ましくは約０．７５ｍｍであり、（凹面と凸面との間で測定された）厚さは、０．１０ｍｍないし、好ましくは、０．５０ｍｍの範囲であり、好ましくは約０．１７ｍｍである。ここでベースの（突出部がベースと接続する）厚さと突出部の高さの比は、１：１ないし１：１５、好ましくは、約１：４．４の範囲である。
断面において、円形状弧であるとともに、形状の部分を含む凹凸突出部の場合において、外径は、０．３ｍｍないし３．０ｍｍの範囲であり、好ましくは約０．７５ｍｍであり、内径は、０．１ｍｍないし２．５ｍｍ、好ましくは約０．４ｍｍである。外径および内径は、突出部が上方に広がるように、ベースから離れる方向に増大するか、または自由端に向かってテーパを有するように、ベースから離れるように減少する。いずれの場合にも、厚さは突出部の高さにわたって一定である。また厚さは、ベースから次第に増加する内径および／またはベースからはなれるにつれて次第に低減する外径によって、突出部の高さにわたってで変化する。
シェービング中に刃ユニットが皮膚を移動する方向に直角な方向の突出部の間の空隙は、好ましくは少なくとも０．１ｍｍおよび前記方向における１つの突出部の幅以下、最も好ましくは約０．２５ｍｍである。所望ならば、隣接する突出部は、突出部と一体的に成形された膜によって相互に接続されている。
本発明によるカミソリ刃によれば、皮膚係合部材の皮膚接触面は、例えば、突出部が毛に合う場合生じる、局所的な力に敏感に応答する。突出部の凹面は、突出部と相互作用を促進するためにこれらの溝に毛を通すように作用することができる。さらに、これらの表面は、皮膚から水分をすくいとって補足し、続いて毛に出合い、その毛と相互に作用するときその水分を解放する。さらに、凹凸部突出部の非直線的な力たわみ特性は、毛と相互作用する際に有利である。
本発明のいくつかの実施例は、添付図面を参照して以下にさらに詳細に説明する。
図１は、本発明による刃ユニットの皮膚係合部材の斜視図である。
図２は、皮膚係合部材の平面図である。
図３は、図１の線Ａ−Ａに沿った断面図である。
図４および図５は、皮膚係合部材の正面図および端面図である。
図６は、ガード面を形成するように皮膚係合部材を備えた刃ユニットの斜視図である。
図７（ａ）ないし（ｆ）は、皮膚係合部材の突出部における他の形状を示す平面図である。
図８（ａ）ないし図８（ｆ）は、突出部の他の形態を示す断面図である。
図１ないし図５に示す皮膚係合部材１は、１つまたはそれ以上の細長い刃を有する安全カミソリ刃ユニットにおいてキャップまたはガード面のいずれかを形成することが意図されている。図６は、ガード面を形成するために皮膚係合部材を備えた刃ユニットを示す。ユニットの刃は、省略されているが、それらの切断縁部が皮膚係合部材の前縁に平行になるように、ユニットのフレーム２内に配置されることは理解できよう。部材１は、エラストマー材料の１つの部品に成形されている。部材１は、矩形ベース３を含み、この矩形ベース３から上方に半円形の弧状断面の突出部４が延びている。これらの突出部の凹面は、シェービング中に皮膚係合部材が皮膚上を移動する方向に面している。これらの突出部は長手方向に４列に配置され、突出部は列の方向に突出部の幅以下の距離で等しい間隔にあり、長手方向の突出部の列は、交互に所定の距離、長手方向にずれており、この距離は、同じ列の隣接する突出部の中心と中心との間のピッチＰの半分であり、連続した列の次の突出部は、長手方向に重複している。
寸法は、次のようである。
ベース長さ：３０ｍｍ
ベース幅：２．５ｍｍ
突出部の高さ：０．３８ｍｍないし１．５ｍｍ、好ましくは０．７５ｍｍ、
突出部の外径：０．３ｍｍ−３．０ｍｍ、好ましくは０．７５ｍｍ、
突出部の内径：０．１ｍｍ−２．５ｍｍ、好ましくは０．４ｍｍ、
突出部の厚さ：０．１ｍｍ−０．５ｍｍ、好ましくは０．１７ｍｍ、
各列における突出部の間隔：０．１ｍｍの外径、好ましくは、０．２５ｍｍ、
列ごとの突出部：図示したように少なくとも１０ないし２９である。
図１ないし図５に示す特定の実施例において、さらに明らかに図８（ａ）に示すように、突出部４は、それらの高さにわたって一定の厚さで直立している。しかしながら、それらは、特に前方および／または側方に角度を形成するように、傾斜することもでき、所望ならば、厚さは、突出部の高さにわたって変化する。突出部が上述した向きおよび半円形の弧状形態を有することは本質的なことではなく、いくつかの他の許容できる他の形状および向きが図７（ａ）ないし図７（ｆ）に示されている。図７（ａ）によれば、突出部は、円形の弧の形状であり、周縁は、完全な円の３／４まで延びており、突出部の縁部は、各半径方向の平面上にある。図７（ｂ）の突出部の形状は、円形の弧であり、凸面の円周方向の範囲は、円全体の１／４であり、縁部はシェービング中の移動方向に直角な共通の平面内にある。Ｕ形状の突出部が図７（ｃ）に示されており、これらは、直線の延長部によって延びている半円形の中間部分がある。図７（ｄ）に示された突出部は、図１ないし図５の突出部と同じ形状であるが、この突出部は、約４５°ないし前方向の角度で傾斜するようにベース上の向きを有する。しかしながら、すべての実施例におけるように、凹面によって定められる溝は、溝の幅の主な部分にわたって前方向に開放している。図７（ｅ）は、図７（ｄ）の突出部の変形された形を示し、この突出縁部の各々は、前方に直角な平面になるように配置されている。図７（ｆ）は、図７（ｃ）の突出部の変形例を示し、この突出部は、９０°曲がってそこから直線部分が延長している弧状の中間部分を有する。内外径と突出部高さおよび厚さを含む上述した寸法は、図７（ａ）ないし図７（ｆ）に示すような突出部を備えた皮膚係合部材に適用可能である。
上述したように、突出部４の厚さは、それらの高さにわたって変化する。図８（ｂ），（ｃ）および（ｄ）は、上方端に向かって厚さが減少する突出部の例である。図８（ｂ）によれば、これはベースから次第に増加する内径によって達成され、図８（ｃ）においては、外径がベースから次第に低減し、図８（ｄ）においては、内径が増大し、外径が、ベースから減少する。また、厚さは、突出部の高さにわたって一定のままであるが、凹凸面の表面形状の直径は変化する。よって、図８（ｅ）は、内外径の増大によってその自由端に向かってテーパを備えた突出部を示している。図８（ｂ）ないし図８（ｆ）のすべての実施例は、上述した寸法の範囲内でつくられることが好ましい。厚さが変化する場合、突出部の自由な上縁部で約０．１７ｍｍが好ましく、外径が変化する場合には、最大限は約０．７５ｍｍである。
本発明のいくつかの実施例において、刃ユニットがシェービング中に皮膚を横断するように移動する方向とは反対の方向に凹部面が向くように、刃ユニットフレームに取り付ける前にそれ自身の平面に前述した皮膚接触面を１８０°回転することによって突出部を配置することが有利である。
特定の実施例において、すべての突出部が同じ形状、寸法および向きを有するようにつくられるのが有利であるが、これは厳密に必要なものではなく、いくつかの実施例において、異なる形および／または向きの突出部を組み合わせることができる。よって、上述した実施例によるようないくつかの向きを有する突出部を有することが可能であり、それらの凹面は、シェービング中に刃ユニットの方向に前方を向いているか、他の突出部は顔とは反対方向を向いている。他の変形例も可能である。例えば、突出部がスペースによって分離されることは本質的なことではなく、それらは、突出部とベースが一体的に成形されたウエブによって相互接続することができる。１つの可能性は、相互に接続されたウエブを備えた一列の突出部を有することであり、このウエブは、突出部によって遮られた連続的な薄い長手方向のフィンを形成するように作用する。
皮膚係合部材の材料は、設けられた突出部の形状および寸法においてある程度適当な可撓性を有するが、通常、９０ショアＡ以下のかたさが適当である。
変更および変化は、本発明の精神および範囲内で行われることは明らかであるが、それは請求の範囲によってのみ制限されることは明らかである。
【図１】
0004130227.tif 000002
【図３】
0004130227.tif 000003
【図５】
0004130227.tif 000004
【図２】
0004130227.tif 000005
【図４】
0004130227.tif 000006
【図６】
0004130227.tif 000007
【図７（ａ）】
0004130227.tif 000008
【図７（ｂ）】
0004130227.tif 000009
【図７（ｃ）】
0004130227.tif 000010
【図７（ｄ）】
0004130227.tif 000011
【図７（ｅ）】
0004130227.tif 000012
【図７（ｆ）】
0004130227.tif 000013
【図８（ａ）】
0004130227.tif 000014
【図８（ｂ）】
0004130227.tif 000015
【図８（ｃ）】
0004130227.tif 000016
【図８（ｄ）】
0004130227.tif 000017
【図８（ｅ）】
0004130227.tif 000018
【図８（ｆ）】
0004130227.tif 000019